(57)【特許請求の範囲】
【請求項１】
軒先に固定される取付板部と、前記軒先の前方に突出するように固定される樋支持部とを備えた軒樋支持具において、
前記樋支持部は、前記取付板部の上端にヒンジ結合された本体板部と、該本体板部の下方側で回動自在とした係止片とを備えている一方、前記取付板部は前記係止片の先端を係止する係止受部を上下方向に沿って複数備えており、
ねじりばねを付加した構成とされ、
前記本体板部と前記係止片とは、それらの一方に前記ねじりばねの一端が固着され、他方に前記ねじりばねの他端が固着されることにより、相互に回動可能に連結されており、前記係止片はその先端が上方に近づく方向に弾性力が作用するようになっていることを特徴とする軒樋支持具。
【発明の詳細な説明】
【技術分野】
【０００１】
本発明は、軒先に固定される取付板部と、軒先の前方に突出するように固定される樋支持部とを備えた軒樋支持具に関する。
【背景技術】
【０００２】
軒樋支持具としては、軒先の種々の傾斜に応じて、軒樋を水平に保持できるようにするために、樋支持部の本体板部が水平に配されるようにする必要がある。そのため、従来では、現場で樋支持部の本体板部と取付板部とのなす折曲角度を手で広げたり狭めたりするか、傾斜角度に応じた複数の製品の中から選択して用いることで対応していた。
【０００３】
さらに、より簡便に、１つの製品で複数の傾斜角度に対応できるように、角度可変構造を有した軒樋支持具も種々提案されている（特許文献１、２参照）。
【先行技術文献】
【特許文献】
【０００４】
【特許文献１】特開２００３−２７６８１号公報
【特許文献２】特開平７−２１７１２５号公報
【発明の概要】
【発明が解決しようとする課題】
【０００５】
しかしながら、上記特許文献１に記載された構造は、他の部材を用いなければならないし、現場などにおいて、その他部材を角度に応じて変形させなければならない。よって、部材点数が増えるため生産効率および在庫管理効率は低下する。また、作業効率も格段によくなるとは言えない。
【０００６】
また、特許文献２のものは、ボルトを、取付板部に設けた係止孔を通じて螺進、螺退することで傾斜した軒先に対応させるようになっているが、これについても他部材（ボルト）を必要とするため、生産効率および在庫管理効率についてはよくない。また、ボルトによるアナログ的な調節であるため、水平状態を計測しにくいという問題もある。
【０００７】
本発明は、このような事情を考慮して提案されたもので、その目的は、設置対象である種々の軒先の傾斜に対応して、樋支持部を簡易な手順で適切な状態に保持させることができる軒樋支持具を提供することにある。
【課題を解決するための手段】
【０００８】
上記目的を達成するために、請求項１に記載の軒樋支持具は、軒先に固定される取付板部と、軒先の前方に突出するように固定される樋支持部とを備えた軒樋支持具において、樋支持部は、取付板部の上端にヒンジ結合された本体板部と、本体板部の下方側で回動自在とした係止片とを備えている一方、取付板部は係止片の先端を係止する係止受部を上下方向に沿って複数備えており、ねじりばねを付加した構成とされ、本体板部と係止片とは、それらの一方にねじりばねの一端が固着され、他方にねじりばねの他端が固着されることにより、相互に回動可能に連結されており、係止片はその先端が上方に近づく方向に弾性力が作用するようになっていることを特徴とする。
【発明の効果】
【００１０】
請求項１に記載の軒樋支持具によれば、上述の構成となっているため、設置対象である種々の軒先の傾斜に対応して、樋支持部を簡易な手順で適切な状態（おもに水平な状態）に保持させることができる。また、ボルトなどの別部材を用いないため、従来にくらべ、生産効率や在庫管理効率が低下することもない。さらに、係止片を係止する係止受部が複数設けられているため、係止受部を想定される傾斜に対応した位置に設ければ、樋支持部を簡単に、適切な状態に固定することができる。
【００１１】
また、請求項１に記載の軒樋支持具によれば、係止片は上方に向けて弾性力が作用する構成となっているため、施工途中において係止片が垂れ下がるようなことがなく、係止受部に簡易に係止させることができ、作業を効率化することができる。
【図面の簡単な説明】
【００１２】
【図１】本発明の参考例に係る軒樋支持具の分解斜視図（軒樋支持具の一構成部材である樋支持部については要部のみ図示）である。
【図２】軒樋支持具の各種設置状態を説明するための、一部を断面とした側面図である。（ａ）は一設置態様を示す全体図および一部拡大図、（ｂ）（ｃ）は他の設置態様を示す部分図である。
【図３】本発明の一実施形態に係る軒樋支持具を説明するための模式的側面図である。（ａ）は軒樋支持具に用いられるバネ材の側面図、（ｂ）（ｃ）は軒樋支持具の要部側面図である。
【図４】本発明の他の参考例に係る軒樋支持具の説明図である。（ａ）は樋支持部の要部斜視図、（ｂ）は樋支持部の要部縦断面図である。
【図５】本発明の他の参考例に係る軒樋支持具の分解斜視図（軒樋支持具の一構成部材である樋支持部については要部のみ図示）である。
【発明を実施するための形態】
【００１３】
以下に、本発明の実施の形態に係る軒樋支持具について、添付図面にもとづいて説明する。
【００１４】
まず、以下に説明する各種の軒樋支持具１の共通的な基本構成について説明する。これらの軒樋支持具１は、軒先３に固定される取付板部２０と、軒先３の前方に突出するように固定される樋支持部１０とを備えた支持具である。樋支持部１０は、取付板部２０の上端にヒンジ結合された本体板部１１と、本体板部１１の下方側で回動自在とした係止片１２とを備えている。一方、取付板部２０は、係止片１２の先端を係止する係止受部２１ａを上下方向に沿って複数備えている。
【００１５】
こうして設けられた係止片１２が、複数の係止受部２１ａのうちの適切な１つに係止されることで、取付板部２０が取り付けられる軒先３の傾斜角度にかかわらず、樋支持部１０を水平な状態に保持させるように軒樋支持具１を取り付けることができる。なお、このような軒樋支持具１によれば、樋支持部１０を水平な状態に保持できるだけではなく、所望の適正な角度に設置することもできる。
【００１６】
ついで、各種の軒樋支持具１の詳細について、順次説明する。
【００１７】
図１に示した軒樋支持具１は、上述したように、樋支持部１０と取付板部２０とを備えた構成とされる。樋支持部１０は、図２（ａ）に示すように、上述した本体板部１１と係止片１２の他に支持部本体１４を備えている。本体板部１１と支持部本体１４の両部材により、軒樋５の軒先３からの突出距離を調節できるようになっている。なお、支持部本体１４を有さず、本体板部１１が軒樋５を直接支持する構成であってもよい。
【００１８】
支持部本体１４は、具体的には、前端に軒樋前耳保持部１４ｂを、後端に軒樋後耳保持部１４ｃを有した形状とされ、それらの間の板状本体部１４ａには、本体板部１１に対して前後方向にスライド調節できるようにするために、長手方向に開設された長孔（不図示）を有している。そして、図２（ａ）に示すように、軒樋前耳保持部１４ｂに前耳５ａが保持され、軒樋後耳保持部１４ｃに後耳５ｂが保持されるようにして、軒樋５が吊り支持されるようになっている。
【００１９】
本体板部１１は、杆部１１ａと、その前端より延出された先端に、ボルト１５、蝶ナット１６で支持部本体１１と連結される連結部１１ｃとを有している。本体板部１１の杆部１１ａの後端には、図１に示すようにヒンジ部１１ｂが形成されている。
【００２０】
この本体板部１１の杆部１１ａの下側には、上述したように係止片１２が取り付けられている。係止片１２は、図２（ａ）の部分拡大図に示すように、杆部１１ａの裏面側で蝶番１３による連結により回動自在となっており、特に軒先３側へ回動できるようになっている。この係止片１２の回動構造は蝶番１３によるものには限定されない。
【００２１】
また、係止片１２の基端１２ｂから先端１２ａまでの長さは、種々の傾斜の軒先３に取り付けた、後述する取付板部２０の係止受部２１ａに届くような長さとなっている。
【００２２】
一方、取付板部２０は、軒先３に固定される矩形の板体とされ、横方向の両側には軒先３へ固定するためのビス等の固定具が挿通される挿通孔２２ａを有した翼片部２２を有し、中央には前方に突出した係止本体２１が形成されている。
【００２３】
係止本体２１は、横長状の貫通長孔で形成された４つの係止受部２１ａが開設されており、それぞれの係止受部２１ａで樋支持部１０（本体板部１１）の係止片１２の先端１２ａを受け入れて係止するようになっている。これらの係止受部２１ａの横には番号が振ってある。この番号は後述する種々の軒先３の傾斜に１対１に対応したものである。なお、係止受部２１ａは貫通長孔によるものには限られず、凹溝で構成してもよい。
【００２４】
この係止本体２１の上端にはヒンジ部２３が形成されており、このヒンジ部２３と、本体板部１１のヒンジ部１１ｂとを組みつけ、軸材２４で連結されており、樋支持部１０、取付板部２０間は相互に回動するように構成されている。
【００２５】
本体板部１１と取付板部２０のヒンジ結合の構造としては、図５に示したものでもよい。すなわち、取付板部２０のヒンジ部２３は本体板部１１とヒンジ結合するための２つの結合溝２３ａ、２３ａを備えており、その溝に本体板部１１のヒンジ部１１ｂ、１１ｂが連結されるようになっている。図５に示したように、本体板部１１のヒンジ部１１ｂを、２点鎖線で示したような平板状態で結合溝２３ａに差し込んでから、ヒンジ部１１ｂを湾曲加工して連結すればよい。なお、図５におけるヒンジ部１１ｂ、２３以外の部位については、図１のものと同様であるため説明は省略する。
【００２６】
以上のような軒樋支持具１を取り付ける軒先３としては、地面に対して垂直なもののほかに、傾斜したものがある。たとえば垂木の前端面に取り付ける場合には、取付板部２０を取り付ける軒先３と垂線とのなす角度は、屋根の勾配に合致して、３寸、５寸などの傾斜角度となっている。
【００２７】
図２（ａ）は、軒樋支持具１の取付板部２０を垂直な軒先３に取り付ける場合の縦断面図である。係止片１２は、その先端１２ａが取付板部２０に設けた複数の係止受部２１ａのうち最下の係止受部２１ａに挿入されることで係止され、それにより樋支持部１０の本体板部１１および支持部本体１４が水平に保持され、それらに支持される軒樋５も水平に保持される。
【００２８】
また、軒先３に少し傾斜がある場合（図２（ｂ）参照）、取付板部２０は軒先３の傾斜面に添設、固定され、係止片１２は図２（ａ）の場合よりも上方に回動した状態で、下から２番目の係止受部２１ａに係止される。こうして、樋支持部１０の本体板部１１および支持部本体１４が水平に保持され、それらに支持される軒樋５も水平に保持される。
【００２９】
また、軒先３に更なる傾斜角度がある場合（図２（ｃ）参照）、取付板部２０は軒先３の傾斜面に添うように傾斜状に固定され、係止片１２は図２（ｂ）の場合よりもさらに上方に回動した状態で、上から２番目の係止受部２１ａに係止される。こうして、樋支持部１０の本体板部１１および支持部本体１４が水平に保持され、それらに支持される軒樋５も水平に保持される。
【００３０】
このように、この軒樋支持具１によれば、種々の軒先３の傾斜に対応して、樋支持部１０を簡易な手順で水平な状態に保持させることができる。また、角度調節用にボルトなどの別部材を用いないため、従来にくらべ、軒樋支持具１の生産効率や在庫管理効率が低下することもない。なお、この軒樋支持具１は、樋支持部１０を水平ではない特殊な状態に保持する場合に利用してもよい。
【００３１】
さらに、取付板部２０は係止片１２を係止する係止受部２１ａを複数有しているため、それらの係止受部２１ａを、想定される傾斜に対応した位置に設けることで、樋支持部１０を簡単に、適切な状態に固定することができる。また、本実施形態の例のように、係止受部２１ａのそれぞれに傾斜角度に対応した番号などを付記すれば、ワンタッチで設置することができる。
【００３２】
また、複数の係止受部２１ａを有した別体を取付板部２０に後付けしてもよい。後付けにより係止受部２１ａを形成するようにすれば、係止片１２の長さとの関係の調節をしやすくできる。
【００３３】
ついで、本発明の実施形態に係る軒樋支持具１（軒樋支持具１の全体については図１参照）の係止片１２の形成例について説明する。
【００３４】
図３の例では、係止片１２が、本体板部１１に対して、複数のねじりばね１７（図３（ａ）参照）で、図３（ｂ）（ｃ）に示したように取り付けられるようになっている。このねじりばね１７は、図３（ａ）の状態は、弾性エネルギーが蓄積されていない定常な状態であり、角度Ｗが小さくなるようにねじった状態に変形すると蓄勢され、復帰弾性力が作用する。
【００３５】
図３（ｂ）は、軒樋支持具１を軒先３に取り付けた状態を示す図である。このとき係止片１２の先端１２ａは取付板部２０の係止受部２１ａに係止されており、係止片１２は、ねじりばね１７の角度Ｗが図３（ａ）の角度Ｗよりも小さくなって弾性付勢された状態にある。
【００３６】
このように、ねじりばね１７の角度Ｗを小さくすると、係止片１２の先端１２ａが上方に近づく方向に弾性力が作用するようになっているため、係止片１２が係止されていない状態では、図３（ｃ）に示すように、先端１２ａは上方に回動するように作用する。このように先端１２ａが係止されていない状態では係止片１２が重力に逆らうように動作するため、作業中に係止片１２は垂れ下がった状態になりにくく、より高い位置にある係止受部２１ａへの係止片１２の取付操作がしやすくなる。
【００３７】
このような弾性構造をより簡易に形成するために、ねじりばね１７の代わりに、薄板（板ばね）を用いてもよい。また、ばね付きの蝶番や他の種類のばねを用いてもよい。
【００３８】
また、図４（ａ）（ｂ）に示すように、係止片１２を本体板部１１の切り起こしにより形成してもよい。図４に示した軒樋支持具１は、係止片１２が係止受部２１ａに係止されるようにするために、本体板部１１の基部近傍を上方に突出させている。つまり、本体板部１１の基部近傍を突出形状とすることで、切り起こし片の長さを確保でき、換言すれば、係止片１２と取付板部２０との距離を縮めるようにすることができるようになっている。
【００３９】
このような切り起こしによる係止片１２であっても、複数の係止受部２１ａのいずれにでも係止されるように回動する構成とする必要があることは言うまでもない。より回動しやすくするために、係止片１２の基端１２ｂを軟質材で形成してもよい。
【００４０】
このように、この軒樋支持具１は係止片１２が切り起こしにより形成されているため、省材料化でき、また製造において部材の連結の必要もなく、製造コストの低減化を図ることができる。
【００４１】
このような切り起こしによる係止片１２にも、先端１２ａが上方に近づく方向に弾性力が作用する構造を付加してもよい。
【符号の説明】
【００４２】
１          軒樋支持具
３          軒先
５          軒樋
１０        樋支持部
１１        本体板部
１１ａ      杆部
１１ｂ      ヒンジ部
１１ｃ      連結部
１２        係止片
１２ａ      先端
１２ｂ      基端
１３        蝶番
１４        支持部本体
１５        ボルト
１６        蝶ナット
１７        ねじりばね
２０        取付板部
２１        係止本体
２１ａ      係止受部
２２        翼片部
２２ａ      挿通孔
２３        ヒンジ部
２３ａ      結合溝
２４        軸材
【要約】
【課題】設置対象である種々の軒先の傾斜に対応して、樋支持部を簡易な手順で適切な状態に保持させることができる軒樋支持具を提供する。
【解決手段】軒樋支持具１は、軒先３に固定される取付板部２０と、軒先３の前方に突出するように固定される樋支持部１０とを備えており、樋支持部１０は、取付板部２０の上端にヒンジ結合された本体板部１１と、本体板部１１の下方側で回動自在とした係止片１２とを備えている一方、取付板部２０は係止片１２の先端１２ａを係止する係止受部２１ａを上下方向に沿って複数備えている。
【選択図】図１【図１】
0006035391.tif 000002
【図２】
0006035391.tif 000003
【図３】
0006035391.tif 000004
【図４】
0006035391.tif 000005
【図５】
0006035391.tif 000006